(57)【要約】【課題】発電装置に新鮮な空気を供給しつつかつ騒音の低減化を図った発電設備を提供する。【解決手段】自家用や地域用等の発電装置を防音壁で囲んだ発電設備において、前記発電装置の給気口と、前記防音壁の開口部とを一致するように配設しているので、発電装置に常に新鮮な空気を供給し、かつ防音壁外側へ漏れる騒音を最小限に留めることができる発電設備を提供することができる。【選択図】  図１
2005220876.tif 000002
【特許請求の範囲】
【請求項１】
自家用や地域用等の発電装置を防音壁で囲んだ発電設備において、前記発電装置の給気口と、前記防音壁の開口部とを一致するように配設したことを特徴とする発電設備。
【請求項２】
請求項１記載の発電設備において、前記発電装置の給気口に給気ダクトを取付け、この給気ダクトを前記防音壁外側に突出するように設置したことを特徴とする発電設備。
【請求項３】
請求項１又は請求項２のいずれかに記載の発電設備において、前記発電装置を複数台設置し、この各発電装置の給気口をまとめて前記防音壁の一つの開口部に連結するように設置したことを特徴とする発電設備。
【発明の詳細な説明】
【技術分野】
【０００１】
本発明は発電設備、特に騒音を抑えた発電設備に関する。
【背景技術】
【０００２】
従来の発電設備、例えば自家用発電設備を図４を用いて説明する。  
図４において、１は発電装置であり、この発電装置１内部には、発電機２と、エンジン３と、ラジエータ４と、ラジエータファン５と、エアフィルター６と、排ガスマフラー７と、給気ダクト８とが設置されている。この発電装置１は、近隣への騒音防止及び景観を損なわないように目隠しを兼ねて防音壁９で囲み、発電設備を構成している。
【０００３】
ところで、このような発電装置１は、ラジエータファン５の吸引作用によって給気ダクト８の給気口１０から冷却風１２を取り入れる。通常、この給気口１０は風雨や塵埃が発電装置１内に浸入するのを防ぐために下方（地面）に向けて開口されている。
【０００４】
発電装置１内に吸引された冷却風１２はラジエータ４でエンジン３の排熱と熱交換した後、高温となって排風口１１から発電装置１外へと排出される。また、この冷却風１２の一部はエアフィルター６を通してエンジン３の燃焼用空気を担っている。排ガス１３は、発電装置１の上方に配置した排ガスマフラー７から排出される。発電装置１から装置外へ排出される高温の冷却風１２及び排ガス１３は、発電設備の防音壁９の外部へ拡散される。
【０００５】
しかしながら、防音壁９の高さ或いは発電設備の設置場所の風向き等の条件によっては、発電設備外へ排出された高温の冷却風１２及び排ガス１３の一部が、再び発電設備内を循環する冷却風及び排ガス１５となって発電装置１の給気口１０へ回り込む。発電設備内を循環する冷却風及び排ガス１５が、発電装置１内部へ冷却風１２として入ると、排ガスの粒子成分がエアフィルター６の目詰まりを加速させることになり、その結果、エアフィルター６の交換時期を早めたり、高温の冷却風で再びラジエータ４と熱交換を行うことになるので、エンジン３のオーバーヒートを誘発する等、種々の弊害をもたらすことになる。そこで、防音壁９の一部或いは全周に開口部１６を設け、発電設備の外部から新鮮な空気１７を取り入れ給気口１０に導くように構成されている。
【０００６】
ところで、発電装置や防音壁に関係する従来技術には、発電装置の導風ケースを工夫して低騒音化を図ったもの（特許文献１）や防音壁上端に回折音防止パネルを設けたもの（特許文献２）等があるが、何れも発電装置或いは防音壁単体に関するものである。
【特許文献１】特開平８−３３４０３３号公報
【特許文献２】特開２００３−１４７７３１号公報
【発明の開示】
【発明が解決しようとする課題】
【０００７】
しかしながら、従来の発電設備の機器の配置構成は、防音壁９に開口部１６を設けるために発電設備の外での騒音が大きくなるという問題が生じていた。防音壁９で囲まれた発電設備内の騒音には、発電装置１からの騒音１８と、発電装置１の騒音１８が防音壁９に反射する反射音１９等があり、これらの騒音が合成され防音壁外側へ漏れる騒音２０となるので、発電設備からの騒音の低減化が求められていた。
【０００８】
また、防音壁に開口部１６を設けて発電装置１の給気口１０に新鮮な空気１７を導いても、再び発電設備内を循環する冷却風及び排ガスが、発電装置１の給気口１０へ戻ると、エアフィルター６の目詰まり及びエンジン３のオーバーヒートの原因となるのでその対策も求められていた。  
本発明は、このような情況に対処するためになされたもので、その課題は、発電装置に新鮮な空気を供給しつつかつ騒音を最小限に抑えた発電設備を提供することにある。
【課題を解決するための手段】
【０００９】
上記課題を達成するために、本発明では次のように構成されている。  
請求項１記載の発明は、自家用や地域用発電装置を防音壁で囲んだ発電設備において、前記発電装置の給気口と、前記防音壁の開口部とを一致するように配設したことを特徴とする。
【００１０】
請求項２記載の発明は、請求項１記載の発電装置において、前記発電装置の給気口に給気ダクトを取付け、この給気ダクトを前記防音壁外側に突出するように設置したことを特徴とする。
【００１１】
請求項３記載の発明は、請求項１又は請求項２のいずれかに記載の発電装置において、前記発電装置を複数台設置し、この各発電装置の給気口をまとめて前記防音壁の一つの開口部に連結するように設置したことを特徴とする。
【発明の効果】
【００１２】
本発明の発電設備によれば、発電装置の給気口を防音壁の開口部と一致させることによって、発電装置に常に新鮮な空気を供給し、かつ防音壁外側へ漏れる騒音の影響を最小限に留めることができる。また、給気ダクトを防音壁開口部の外側に突出するように取り付けることによって、騒音増加の影響をより一層最小限に留め、風雨の吸い込み難い耐久性と信頼性の高い発電設備を提供することができる。更に、発電装置を複数台設置した場合に、各発電装置の給気口をダクトでまとめて防音壁の一つの開口部に連結することで、防音壁外側へ漏れる騒音を最小限に抑え、外観上見栄えのよい発電設備を提供することができる。
【発明を実施するための最良の形態】
【００１３】
以下、本発明の最良の実施形態を図を参照して説明する。  
［第１の実施形態］
図１は本発明の第１の実施形態の発電設備の側面図であり、従来の発電設備と同一部分には同一符号を付して説明する。
【００１４】
図１において、本実施形態では防音壁９の開口部１６と発電装置１の給気口１０が一致するように発電装置１を設置する。このような配置構成によると、発電装置１の給気口は完全に防音壁９の外側、即ち発電設備の外から新鮮な空気１７を取り入れられるので、発電装置１外へ排出された高温の冷却風１２及び排ガス１３が、再び発電設備内を循環する冷却風及び排ガスとなって給気口１に取り入れられることはない。また、従来は発電装置１からの騒音１８及びこれが防音壁９で反射する反射音１９とが合成されて防音壁外側へ騒音として外に漏れていたが、このような配置構成とすることで、防音壁開口部１６から漏れる騒音２０は発電装置１の給気口１０から出る騒音のみとなり、防音壁外側へ漏れる騒音増加の影響を最小限に留めることができ、従来の発電装置に比べて低騒音化を図ることができる。  
これらの効果により、発電装置に新鮮な空気を供給しながら、発電装置からの騒音を最小限に抑える発電設備を提供することが可能となる。
【００１５】
［第２の実施形態］
図２は本発明の第２の実施形態の発電設備の側面図であり、従来の発電設備と同一部分には同一符号を付して説明する。
【００１６】
図２において、本実施形態では図１で説明した防音壁９の開口部１６に給気ダクト８ａを防音壁外側に突出するように取り付ける構成としたものである。また、給気口１０が下方（地面）を向くように形成されている。この給気口によって防音壁外側へ漏れる騒音２０は直接横方向に伝播することがなくなり回折効果による減音効果を得ることができるので、更に低騒音化を図ることができる。更に給気口１０が下方（地面）を向くことによって風雨を吸い込み難くなる構造となるので、発電装置１の信頼性及び耐久性を向上させることができる。
【００１７】
なお、本実施形態は開口部１６に給気ダクト８ａを取り付けることに限定されず、勿論発電装置１に給気ダクト８ａを取り付けてもよく、また発電装置１の給気ダクト８ないし８ａを防音壁９の開口部１６から外側に突出させる構造としても本実施形態と同様の効果が得られる。
【００１８】
［第３の実施形態］
図３は本発明の第３の実施形態の発電設備の平面図であり、従来の発電設備と同一部分には同一符号を付して説明する。
【００１９】
図３において、本実施形態では図１及び図２で説明した発電装置を複数台（図３では３台）設置する場合に、各発電装置の給気口１０をダクト８ｂでまとめて防音壁９の一つの開口部１６に連結している。発電装置一台に対し開口部を設けるよりも必要最小限の開口面積に抑えることができるので、防音壁外側へ漏れる騒音２０も最小限に抑えることができる。また開口面積を小さく抑えることにより外観上の美観を損うことはなくなる。
【図面の簡単な説明】
【００２０】
【図１】本発明の第１の実施形態の発電設備の側面図。
【図２】本発明の第２の実施形態の発電設備の側面図。
【図３】本発明の第３の実施形態の発電設備の平面図。
【図４】従来の発電設備の側面図。
【符号の説明】
【００２１】
１…発電装置、２…発電機、３…エンジン、４…ラジエータ、５…ラジエータファン、６…エアフィルター、７…排ガスマフラー、８，８ａ，８ｂ…給気ダクト、９…防音壁、１０…給気口、１１…排風口、１２…冷却風、１３…排ガス、１４…防音壁の外側へ拡散される冷却風及び排ガス、１５…再び発電所内を循環する冷却風及び排ガス、１６…防音壁開口部、１７…新鮮な空気、１８…発電装置の騒音、１９…反射音、２０…防音壁外側に漏れる騒音。
【図１】
2005220876.tif 000003
【図２】
2005220876.tif 000004
【図３】
2005220876.tif 000005
【図４】
2005220876.tif 000006